【手続補正書】
【提出日】平成15年11月7日(2003.11.7)
【手続補正１】
【補正対象書類名】明細書
【補正対象項目名】特許請求の範囲
【補正方法】変更
【補正の内容】
【特許請求の範囲】
【請求項１】
亜鉛塩不飽和カルボン酸エステルでグラフトされた水素化ニトリルブタジエンエラストマーと、シス−１，４−ポリブタジエンゴムと、前記エラストマーの硬化剤と、充填材、顔料、着色剤およびそれらの混合物からなる群より選択される少なくとも１種の添加物とを含むブレンドからなり、前記亜鉛塩不飽和カルボン酸エステルでグラフトされた水素化ニトリルブタジエンエラストマーが組成物中に、シス−１，４−ポリブタジエンゴム１００重量部あたり少なくとも約１００重量部の量で存在する、硬化組成物。
【請求項２】
前記亜鉛塩不飽和カルボン酸エステルがジメタクリル酸亜鉛であり、前記ブレンドが、約４０％の過酸化物含量を有するｎ−ブチル−４，４−ビス（tert−ブチルペルオキシ）バレレートを、組成物の総重量を基準にして、約１〜約５重量部含む請求項１記載の組成物。
【請求項３】
前記ブレンドが、いずれも組成物の総重量を基準にして、ジメタクリル酸亜鉛でグラフトされたニトリルブタジエンエラストマー約１００重量部、シス−１，４−ポリブタジエンゴム約５０重量部および約４０％の過酸化物含量を有するｎ−ブチル−４，４−ビス（tert−ブチルペルオキシ）バレレート約３重量部を含む請求項２記載の組成物。
【請求項４】
前記硬化剤が、ジ−tert−ブチルペルオキシド、過酸化ジクミル、過酸化ベンゾイル、２，４−ジクロロベンゾールペルオキシド、tert−ブチル−クミルペルオキシド、tert−ブチルペルベンゾエート、tert−ブチルペルオキシド、tert−ブチルペルオキシ（２−エチルヘキサノエート）、２，５−ジメチル−２，５−ジ（ベンゾイルペルオキシ）−ヘキサン、過酸化ベンゾイル、２，５−ジメチル−２，５−（tert−ブチルペルオキシ）−ヘキサン、１，１−ジ−tert−ブチルペルオキシ−３，３，５−トリメチルシクロヘキサン、４，４−ジ−tert−ブチルペルオキシｎ−ブチルバレレート、α，α′−ビス（tert−ブチルペルオキシ）−イソプロピルベンゼン、２，５−ジメチル−２，５−ジ（tert−ブチルペルオキシ）ヘキサン、ジ−tert−ブチルペルオキシド、２，５−ジメチル−２，５−ジ−（tert−ブチルペルオキシ）ヘキシン−３、過酸化ラウロイル、tert−ブチルヒドロペルオキシド、tert−アミルヒドロペルオキシド、クメンヒドロペルオキシド、tert−ブチルペルベンゾエート、tert−ブチルペルオキシド、tert−ブチルペルオキシ（２−エチルヘキサノエート）、２，５−ジメチル−２，５−ジ（ベンゾイルペルオキシ）−ヘキサン、過酸化ベンゾイルおよび約４０％の過酸化物含量を有するｎ−ブチル−４，４，−ビス（tert−ブチルペルオキシ）バレレートからなる群より選択される請求項１記載の組成物。
【請求項５】
前記硬化剤が、約４０％の過酸化物含量を有するｎ−ブチル−４，４−ビス（tert−ブチルペルオキシ）バレレートである請求項４記載の組成物。
【請求項６】
前記添加物が、沈降水化シリカ、粘土、タルク、アスベスト、ガラス、炭酸カルシウム、炭酸マグネシウム、酸化亜鉛、酸化鉄、酸化アルミニウム、酸化チタン、酸化マグネシウム、ポリエチレン、ポリスチレン、ポリエチレンイオノマー樹脂、カーボンブラック、天然ビチューメン、コットンフロック、セルロースフロックおよび皮革繊維からなる群より選択される充填材である請求項１記載の組成物。
【請求項７】
前記添加物が有色顔料である請求項１記載の組成物。
【請求項８】
前記有色顔料が二酸化チタンである請求項７記載の組成物。
【請求項９】
前記添加物が、エラストマー１００重量部あたり約５０重量部までの量で存在する充填材である請求項１記載の組成物。
【請求項１０】
前記添加物が、エラストマー１００重量部あたり約５〜約２５重量部の量で存在する充填材である請求項１記載の組成物。
【請求項１１】
亜鉛塩不飽和カルボン酸エステルでグラフトされた水素化ニトリルブタジエンエラストマーと、シス−１，４−ポリブタジエンゴムと、前記エラストマーの硬化剤と、充填材、顔料、着色剤およびそれらの混合物からなる群より選択される少なくとも１種の添加物とを含むブレンドからなり、前記亜鉛塩不飽和カルボン酸エステルでグラフトされた水素化ニトリルブタジエンエラストマーがシス−１，４−ポリブタジエンゴム１００重量部あたり少なくとも１００重量部の量で存在する、硬化組成物を有するゴルフボール。
【請求項１２】
前記硬化剤が、ジ−tert−ブチルペルオキシド、過酸化ジクミル、過酸化ベンゾイル、２，４−ジクロロベンゾールペルオキシド、tert−ブチル−クミルペルオキシド、tert−ブチルペルベンゾエート、tert−ブチルペルオキシド、tert−ブチルペルオキシ（２−エチルヘキサノエート）、２，５−ジメチル−２，５−ジ（ベンゾイルペルオキシ）−ヘキサン、過酸化ベンゾイル、２，５−ジメチル−２，５−（tert−ブチルペルオキシ）−ヘキサン、１，１−ジ−tert−ブチルペルオキシ−３，３，５−トリメチルシクロヘキサン、４，４−ジ−tert−ブチルペルオキシｎ−ブチルバレレート、α，α′−ビス（tert−ブチルペルオキシ）−イソプロピルベンゼン、２，５−ジメチル−２，５−ジ（tert−ブチルペルオキシ）ヘキサン、ジ−tert−ブチルペルオキシド、２，５−ジメチル−２，５−ジ−（tert−ブチルペルオキシ）ヘキシン−３、過酸化ラウロイル、tert−ブチルヒドロペルオキシド、tert−アミルヒドロペルオキシド、クメンヒドロペルオキシド、tert−ブチルペルベンゾエート、tert−ブチルペルオキシド、tert−ブチルペルオキシ（２−エチルヘキサノエート）、２，５−ジメチル−２，５−ジ（ベンゾイルペルオキシ）−ヘキサン、過酸化ベンゾイルおよび約４０％の過酸化物含量を有するｎ−ブチル−４，４，−ビス（tert−ブチルペルオキシ）バレレートからなる群より選択される請求項１１記載のゴルフボール。
【請求項１３】
前記硬化剤が、約４０％の過酸化物含量を有するｎ−ブチル−４，４−ビス（tert−ブチルペルオキシ）バレレートである請求項１２記載のゴルフボール。
【請求項１４】
前記添加物が、沈降水化シリカ、粘土、タルク、アスベスト、ガラス、炭酸カルシウム、炭酸マグネシウム、酸化亜鉛、酸化鉄、酸化アルミニウム、酸化チタン、酸化マグネシウム、ポリエチレン、ポリスチレン、ポリエチレンイオノマー樹脂、カーボンブラック、天然ビチューメン、コットンフロック、セルロースフロックおよび皮革繊維からなる群より選択される充填材である請求項１１記載のゴルフボール。
【請求項１５】
前記添加物が有色顔料である請求項１１記載のゴルフボール。
【請求項１６】
前記有色顔料が二酸化チタンである請求項１５記載のゴルフボール。
【請求項１７】
前記添加物が、エラストマー１００重量部あたり約５０重量部までの量で存在する充填材である請求項１１記載のゴルフボール。
【請求項１８】
前記添加物が、エラストマー１００重量部あたり約５〜約２５重量部の量で存在する充填材である請求項１１記載のゴルフボール。
【請求項１９】
前記亜鉛塩不飽和カルボン酸エステルがジメタクリル酸亜鉛であり、前記ブレンドが、約４０％の過酸化物含量を有するｎ−ブチル−４，４−ビス（tert−ブチルペルオキシ）バレレートを、組成物の総重量を基準にして、約１〜約５重量部含む請求項１１記載のゴルフボール。
【請求項２０】
前記ブレンドが、いずれも組成物の総重量を基準にして、ジメタクリル酸亜鉛でグラフトされたニトリルブタジエンエラストマー約１００重量部、シス−１，４−ブタジエンゴム約５０重量部および約４０％の過酸化物含量を有するｎ−ブチル−４，４−ビス（tert−ブチルペルオキシ）バレレート約３重量部を含む請求項１１記載のゴルフボール。
【請求項２１】
１ピースボールである請求項１９記載のゴルフボール。
【請求項２２】
前記硬化組成物を含むカバーを有する２ピースボールである請求項１９記載のゴルフボール。